【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
長手形状のハウジング、
前記ハウジングの長手方向に沿った第１面の、当該長手方向の一方端側に設けられる第１操作部、
前記ハウジングの前記第１面とは反対の第２面の、前記第１操作部に対応する位置に設けられる第２操作部、および
前記ハウジングの前記第２操作部から前記長手方向に沿った他方端方向に形成される把持部を備える、ゲーム用操作装置。
【請求項２】
片手で把持可能な太さを有する長手形状のハウジング、
前記ハウジングの長手方向に沿った第１面に設けられる第１操作部、
前記ハウジングの前記第１面とは反対の第２面の、前記第１操作部に前記片手の親指を置いたとき当該片手の人差し指の届く位置に設けられる第２操作部、および
前記ハウジングに形成された把持部を備え、
前記把持部は、前記第１操作部に親指を置き前記第２操作部に人差し指を置いたとき前記片手の手のひらとその他の指とによって把持可能な位置に形成されている、ゲーム用操作装置。
【請求項３】
長手形状のハウジング、
前記ハウジングの長手方向の一部に形成され、片手の手のひらで把持できる把持部、
前記ハウジングに設けられ、前記把持部を前記手のひらで把持したとき前記片手の親指が届く位置に設けられる第１操作部、および
前記ハウジングに設けられ、前記把持部を前記手のひらで把持したとき前記片手の人差し指が届く位置に設けられる第２操作部を備え、
前記第１操作部および前記第２操作部は前記ハウジングの第１面および当該第１面とは反対側の第２面の互いに対応する位置にそれぞれ配置した、ゲーム用操作装置。
【請求項４】
前記第１操作部は、多角形状に配置された複数のスイッチ接点と、当該スイッチ接点をオンまたはオフするための単一のキートップまたは複数のキートップを含んで構成される方向スイッチであり、
前記第２操作部は、スイッチ接点と、当該スイッチ接点をオンまたはオフするためのキートップとを含んで構成される少なくとも１つの操作スイッチである、請求項１ないし３のいずれかに記載のゲーム用操作装置。
【請求項５】
前記第１操作部において、キートップは、その押込方向が前記第１面に対して垂直な方向になるように設けられており、
前記第２操作部において、キートップは、その押込方向が前記把持部側に向かいかつ前記第１面に対して非垂直な方向になるように設けられている、請求項４記載のゲーム用操作装置。
【請求項６】
前記第２操作部は、スイッチ接点と、当該スイッチ接点をオンまたはオフするためのキートップとを含んで構成される少なくとも１つの操作スイッチであり、
前記キートップは、前記人差し指を曲げたとき、前記把持部の方向に押し込まれる、請求項２または３記載のゲーム用操作装置。
【請求項７】
前記ハウジングに形成された凹部をさらに備え、
前記第２操作部は前記凹部に設けられる、請求項１ないし６のいずれかに記載のゲーム用操作装置。
【請求項８】
前記凹部は、前記把持部側に傾斜する第１傾斜面と、前記把持部とは反対側に傾斜する第２傾斜面とを含んで構成され、
前記第２操作部は前記凹部の前記第１傾斜面に設けられる、請求項７記載のゲーム用操作装置。
【請求項９】
前記凹部は、前記第２傾斜面の前記第１面に対する傾斜角度が前記第１傾斜面の前記第１面に対する傾斜角度よりも小さくなるように、形成される、請求項８記載のゲーム用操作装置。
【請求項１０】
前記凹部は、前記第１面にほぼ平行な平行面と、当該平行面と前記把持部との間の傾斜面とを少なくとも含み、
前記第２操作部は前記傾斜面に設けられる、請求項７記載のゲーム用操作装置。
【請求項１１】
前記ハウジングの前記把持部内に設けられ、前記ハウジングの位置および姿勢の少なくとも一方を判断するための位置および／または姿勢判断手段と、
前記第１操作部および前記第２操作部の少なくとも一方からの操作信号とともに、前記位置および／または姿勢判断手段によって判断された位置および／または姿勢の情報を操作信号として出力する出力手段をさらに備える、請求項１ないし１０のいずれかに記載のゲーム用操作装置。
【請求項１２】
前記位置および／または姿勢判断手段は加速度センサおよびジャイロセンサの少なくとも１つを含む、請求項１１記載のゲーム用操作装置。
【請求項１３】
前記第１操作部は、前記方向スイッチとは別の、スイッチ接点と、当該スイッチ接点をオンまたはオフするためのキートップとを含んで構成される押込スイッチをさらに含み、
前記押込スイッチは、前記方向スイッチの近傍の把持部側の前記第１面に設けられる、請求項４記載のゲーム用操作装置。
【請求項１４】
前記方向スイッチのキートップは、前記押込スイッチのキートップに比べて高い位置に設けられる、請求項１３記載のゲーム用操作装置。
【手続補正２】
【補正対象書類名】明細書
【補正対象項目名】０００８
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】
【手続補正１４】
【補正対象書類名】明細書
【補正対象項目名】００５３
【補正方法】削除
【補正の内容】
【手続補正１５】
【補正対象書類名】明細書
【補正対象項目名】００５４
【補正方法】削除
【補正の内容】
【手続補正１６】
【補正対象書類名】明細書
【補正対象項目名】００５５
【補正方法】削除
【補正の内容】
【手続補正１７】
【補正対象書類名】明細書
【補正対象項目名】００５６
【補正方法】削除
【補正の内容】
【手続補正１８】
【補正対象書類名】明細書
【補正対象項目名】００５７
【補正方法】削除
【補正の内容】
【手続補正１９】
【補正対象書類名】明細書
【補正対象項目名】００５８
【補正方法】削除
【補正の内容】
【手続補正２０】
【補正対象書類名】明細書
【補正対象項目名】００５９
【補正方法】削除
【補正の内容】
【手続補正２１】
【補正対象書類名】明細書
【補正対象項目名】００６０
【補正方法】削除
【補正の内容】
【手続補正２２】
【補正対象書類名】明細書
【補正対象項目名】００６１
【補正方法】削除
【補正の内容】
【手続補正２３】
【補正対象書類名】明細書
【補正対象項目名】００６２
【補正方法】削除
【補正の内容】
【手続補正２４】
【補正対象書類名】明細書
【補正対象項目名】００６３
【補正方法】削除
【補正の内容】
【手続補正２５】
【補正対象書類名】明細書
【補正対象項目名】００６４
【補正方法】削除
【補正の内容】
【手続補正２６】
【補正対象書類名】明細書
【補正対象項目名】００６５
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】
【手続補正２９】
【補正対象書類名】明細書
【補正対象項目名】００６８
【補正方法】削除
【補正の内容】
【手続補正３０】
【補正対象書類名】明細書
【補正対象項目名】００６９
【補正方法】削除
【補正の内容】
【手続補正３１】
【補正対象書類名】明細書
【補正対象項目名】００７０
【補正方法】削除
【補正の内容】
【手続補正３２】
【補正対象書類名】明細書
【補正対象項目名】００７１
【補正方法】削除
【補正の内容】
【手続補正３３】
【補正対象書類名】明細書
【補正対象項目名】００７２
【補正方法】削除
【補正の内容】
【手続補正３４】
【補正対象書類名】明細書
【補正対象項目名】００７４
【補正方法】削除
【補正の内容】